(57)【特許請求の範囲】
【請求項１】
原稿が支持される支持台に沿って移動可能に支持され、少なくとも光源を支持する移動体と、
前記光源の制御を行う制御部と、
長手方向が前記移動体の移動方向に延び且つ短手方向が前記移動体の移動方向に交差する幅方向に延びる帯板状に形成され、前記移動体と前記制御部とを電気的に接続する接続部材であって、前記移動体の移動方向に対して折り返された折り返し部を有する前記接続部材と、
前記接続部材に沿って配置された案内部材であって、前記移動体が予め設定された待機位置に移動した状態における前記接続部材の折り返し部に対応して形成され、他の部分に比べて幅の狭い幅狭部を有し、前記接続部材が前記移動体の移動方向に沿って延びる部分では曲げ剛性が高く、且つ、前記接続部材の折り返し部では曲げ剛性が低い前記案内部材と、
を備えたことを特徴とする画像読取り装置。
【請求項２】
原稿が支持される支持台に沿って移動可能に支持され、少なくとも光源を支持する移動体と、
前記光源の制御を行う制御部と、
長手方向が前記移動体の移動方向に延び且つ短手方向が前記移動体の移動方向に交差する幅方向に延びる帯板状に形成され、前記移動体と前記制御部とを電気的に接続する接続部材であって、前記移動体の移動方向に対して折り返された折り返し部を有する前記接続部材と、
前記接続部材に沿って配置された案内部材であって、前記移動体が予め設定された待機位置に移動した状態における前記接続部材の折り返し部に対応して形成され、他の部分に比べて幅の狭い幅狭部を有し、前記幅方向に対して曲げられて形成され、且つ、前記折り返された部分では、幅方向に対して曲げられた部分が平板状に延びるように弾性変形可能な前記案内部材と、
を備えたことを特徴とする画像読取り装置。
【請求項３】
電気的に接地され、且つ、導電性の前記案内部材、
を備えたことを特徴とする請求項１または２に記載の画像読取り装置。
【請求項４】
原稿の画像を読み取る請求項１ないし３のいずれかに記載の画像読取り装置と、
前記画像読取り装置に読み取られた画像に基づいて、媒体に画像を記録する画像の記録部と、
を備えたことを特徴とする画像形成装置。
【発明の詳細な説明】
【技術分野】
【０００１】
本発明は、画像読取り装置および画像形成装置に関する。
【背景技術】
【０００２】
従来から、画像の記録された媒体、いわゆる、原稿を読み取る画像読取り装置について、以下の特許文献１〜３に記載の技術が知られている。
【０００３】
特許文献１としての特開２００４−３４８０７４号公報には、原稿台（２５）と平行に移動するキャリッジ（１２）からフレキシブルフラットケーブル（１５）が延びており、フレキシブルフラットケーブル（１５）が原稿台（２５）の下面を擦らないように抑えるために、キャリッジ（１２）から延びる板状の押さえ部（１３）を設けた構成が記載されている。
【０００４】
特許文献２としての特開２０１２−８３５１５号公報には、原稿台（４）と平行に移動するキャリッジ（９）からフレキシブルフラットケーブル（１４）が延びており、フレキシブルフラットケーブル（１４）には幅方向（Ｄ２）に対して折り曲げられており、フレキシブルフラットケーブル（１４）がキャリッジ（９）の移動方向において折れ曲がる（巻き込まれる）ことを抑制する技術が記載されている。
【０００５】
特許文献３としての特開２０１２−１０８４２４号公報には、原稿台（５２）に沿って移動可能な読取りユニット（２２）からフレキシブルフラットケーブル（２５ａ）が延びており、フレキシブルフラットケーブル（２５ａ）と原稿台（５２）との間に、フレキシブルフラットケーブル（２５ａ）に沿って延びる保護フィルム（２５ｄ）が支持された構成が記載されている。特許文献３の保護フィルム（２５ｄ）は、フレキシブルフラットケーブル（２５ａ）に対してたるみが生じるように支持されており、保護フィルム（２５ｄ）は原稿台（５２）の下面に接触する。
【先行技術文献】
【特許文献】
【０００６】
【特許文献１】特開２００４−３４８０７４号公報（「０００２」〜「０００３」、「００１９」〜、「００２１」、図１、図８）
【特許文献２】特開２０１２−８３５１５号公報（「００５９」〜「００６０」、図１、図４）
【特許文献３】特開２０１２−１０８４２４号公報（「００１８」〜「００２０」、「００３６」〜「００４３」、図１、図３、図９）
【発明の概要】
【発明が解決しようとする課題】
【０００７】
本発明は、帯板状の接続部材が原稿台に接触することを抑えることを技術的課題とする。
【課題を解決するための手段】
【０００８】
前記技術的課題を解決するために、請求項１に記載の発明の画像読取り装置は、
原稿が支持される支持台に沿って移動可能に支持され、少なくとも光源を支持する移動体と、
前記光源の制御を行う制御部と、
長手方向が前記移動体の移動方向に延び且つ短手方向が前記移動体の移動方向に交差する幅方向に延びる帯板状に形成され、前記移動体と前記制御部とを電気的に接続する接続部材であって、前記移動体の移動方向に対して折り返された折り返し部を有する前記接続部材と、
前記接続部材に沿って配置された案内部材であって、前記移動体が予め設定された待機位置に移動した状態における前記接続部材の折り返し部に対応して形成され、他の部分に比べて幅の狭い幅狭部を有し、前記接続部材が前記移動体の移動方向に沿って延びる部分では曲げ剛性が高く、且つ、前記接続部材の折り返し部では曲げ剛性が低い前記案内部材と、
を備えたことを特徴とする。
【０００９】
前記技術的課題を解決するために、請求項２に記載の発明の画像読取り装置は、
原稿が支持される支持台に沿って移動可能に支持され、少なくとも光源を支持する移動体と、
前記光源の制御を行う制御部と、
長手方向が前記移動体の移動方向に延び且つ短手方向が前記移動体の移動方向に交差する幅方向に延びる帯板状に形成され、前記移動体と前記制御部とを電気的に接続する接続部材であって、前記移動体の移動方向に対して折り返された折り返し部を有する前記接続部材と、
前記接続部材に沿って配置された案内部材であって、前記移動体が予め設定された待機位置に移動した状態における前記接続部材の折り返し部に対応して形成され、他の部分に比べて幅の狭い幅狭部を有し、前記幅方向に対して曲げられて形成され、且つ、前記折り返された部分では、幅方向に対して曲げられた部分が平板状に延びるように弾性変形可能な前記案内部材と、
を備えたことを特徴とする。
【００１１】
請求項３に記載の発明は、請求項１または２に記載の画像読取り装置において、
電気的に接地され、且つ、導電性の前記案内部材、
を備えたことを特徴とする。
【００１２】
前記技術的課題を解決するために、請求項４に記載の発明の画像形成装置は、
原稿の画像を読み取る請求項１ないし３のいずれかに記載の画像読取り装置と、
前記画像読取り装置に読み取られた画像に基づいて、媒体に画像を記録する画像の記録部と、
を備えたことを特徴とする。
【発明の効果】
【００１３】
請求項１，２，４に記載の発明によれば、本発明の案内部材を有しない場合に比べて、帯板状の接続部材が原稿台に接触することを抑えることができる。
また、請求項１，２，４に記載の発明によれば、幅狭部を有しない場合に比べて、待機位置において案内部材が原稿台に向けて変形しようとする力を低減できる。
請求項３に記載の発明によれば、案内部材が接続部材を電気的にシールドすることができる。
【図面の簡単な説明】
【００１４】
【図１】図１は実施例１の画像形成装置の全体説明図である。
【図２】図２は実施例１の画像の記録部の要部説明図である。
【図３】図３は実施例１の画像読取り装置の説明図である。
【図４】図４は実施例１の接続部材と案内部材との説明図であり、図４Ａは折り返し部分の斜視図、図４Ｂは接続部材と案内部材との分解図である。
【図５】図５は実施例１の案内部材の説明図であり、図５Ａは展開図、図５Ｂは図５ＡのＶＢ−ＶＢ線断面図である。
【図６】図６は案内部材が設けられていない構成における説明図であり、図６Ａは接続部材が原稿台に接触した状態の説明図、図６Ｂは接続部材が座屈した状態の説明図である。
【図７】図７は実施例１の曲げ剛性の説明図である。
【図８】図８は実施例２の画像読取り装置の説明図であり、図８Ａは実施例１の図３に対応する図、図８Ｂは図８ＡのＶＩＩＩＢ−ＶＩＩＩＢ線断面図、図８Ｃは図８ＡのＶＩＩＩＣ−ＶＩＩＩＣ線断面図である。
【図９】図９は変更例の説明図であり、図９Ａは案内部材の両端まで曲げ部が形成された構成の説明図、図９Ｂは案内部材の他端部に幅狭部が形成された構成の説明図である。
【図１０】図１０は変更例の説明図であって、実施例１の図５Ｂに対応する図であり、図１０Ａは曲げ部が１つのみの断面の説明図、図１０Ｂは曲げ部が５つある場合の断面の説明図、図１０Ｃは弧状に曲げられた断面の説明図である。
【発明を実施するための形態】
【００１５】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１６】
図１は実施例１の画像形成装置の全体説明図である。
図１において、本発明の実施例１の画像形成装置の一例としての複写機Ｕは、記録部の一例であって、画像記録装置の一例としてのプリンタ部Ｕ１を有する。プリンタ部Ｕ１の上部には、読取部の一例であって、画像の読取装置の一例としてのスキャナ部Ｕ２が支持されている。スキャナ部Ｕ２の上部には、原稿の搬送装置の一例としてのオートフィーダＵ３が支持されている。実施例１のスキャナ部Ｕ２には、入力部の一例としてのユーザインタフェースＵ０が支持されている。前記ユーザインタフェースＵ０は、操作者が入力をして、複写機Ｕの操作が可能である。
【００１７】
オートフィーダＵ３の上部には、媒体の収容容器の一例としての原稿トレイＴＧ１が配置されている。原稿トレイＴＧ１には、複写しようとする複数の原稿Ｇｉが重ねて収容可能である。原稿トレイＴＧ１の下方には、原稿の排出部の一例としての原稿の排紙トレイＴＧ２が形成されている。原稿トレイＴＧ１と原稿の排紙トレイＴＧ２との間には、原稿の搬送路Ｕ３ａに沿って、原稿の搬送ロールＵ３ｂが配置されている。
【００１８】
スキャナ部Ｕ２の上面には、透明な原稿台の一例としてのプラテンガラスＰＧが配置されている。実施例１のスキャナ部Ｕ２には、プラテンガラスＰＧの下方に、読取部の一例としての読取ユニットＵ２ａが配置されている。実施例１の読取ユニットＵ２ａは、プラテンガラスＰＧの下面に沿って、副走査方向の一例としての左右方向に移動可能に支持されている。読取ユニットＵ２ａは、通常時は、図１の実線で示す初期位置に停止している。なお、読取ユニットＵ２ａは、画像処理部ＧＳに電気的に接続されている。
また、実施例１のスキャナ部Ｕ２では、原稿の搬送路Ｕ３ａには、原稿の搬送方向に対して、読取ユニットＵ２ａが対向する位置よりも下流側に、第２の読み取り部材の一例としての読取りセンサＵ３ｄが配置されている。読取りセンサＵ３ｄは、読取りユニットＵ２ａとは原稿のＧｉの反対側の面を読み取り可能に構成されている。
【００１９】
図２は実施例１の画像の記録部の要部説明図である。
画像処理部ＧＳは、プリンタ部Ｕ１の書込回路ＤＬに電気的に接続されている。書込回路ＤＬは、潜像の形成装置の一例としての露光装置ＲＯＳに電気的に接続されている。
実施例１の露光装置ＲＯＳは、書込光の一例としてのＹ，Ｍ，Ｃ，Ｋの各色に対応したレーザービームＬｙ，Ｌｍ，Ｌｃ，Ｌｋを出力可能に構成されている。露光装置ＲＯＳは、書込回路ＤＬから入力された信号に応じたレーザービームＬｙ〜Ｌｋを出力可能に構成されている。
図１において、露光装置ＲＯＳの上方には、像保持体の一例としての感光体ＰＲｙ，ＰＲｍ，ＰＲｃ，ＰＲｋが配置されている。図１、図２において、各感光体ＰＲｙ〜ＰＲｋにレーザービームＬｙ〜Ｌｋが照射される領域により、書込領域Ｑ１ｙ，Ｑ１ｍ，Ｑ１ｃ，Ｑ１ｋが構成されている。
【００２０】
各感光体ＰＲｙ，ＰＲｍ，ＰＲｃ，ＰＲｋの回転方向に対して、書込領域Ｑ１ｙ〜Ｑ１ｋの上流側には、帯電器の一例としての帯電ロールＣＲｙ，ＣＲｍ，ＣＲｃ，ＣＲｋが配置されている。実施例１の帯電ロールＣＲｙ〜ＣＲｋは、感光体ＰＲｙ〜ＰＲｋに接触して従動回転可能に支持されている。
感光体ＰＲｙ〜ＰＲｋの回転方向に対して、書込領域Ｑ１ｙ〜Ｑ１ｋの下流側には、現像装置Ｇｙ，Ｇｍ，Ｇｃ，Ｇｋが配置されている。各感光体ＰＲｙ〜ＰＲｋと各現像装置Ｇｙ〜Ｇｋとが対向する領域により、現像領域Ｑ２ｙ，Ｑ２ｍ，Ｑ２ｃ，Ｑ２ｋが構成されている。
【００２１】
感光体ＰＲｙ〜ＰＲｋの回転方向に対して、現像装置Ｇｙ〜Ｇｋの下流側には、１次転写器の一例としての１次転写ロールＴ１ｙ，Ｔ１ｍ，Ｔ１ｃ，Ｔ１ｋが配置されている。各感光体ＰＲｙ〜ＰＲｋと各１次転写ロールＴ１ｙ〜Ｔ１ｋとが対向する領域により、１次転写領域Ｑ３ｙ，Ｑ３ｍ，Ｑ３ｃ，Ｑ３ｋが構成されている。
感光体ＰＲｙ〜ＰＲｋの回転方向に対して、１次転写ロールＴ１ｙ〜Ｔ１ｋの下流側には、像保持体の清掃器の一例としての感光体クリーナＣＬｙ，ＣＬｍ，ＣＬｃ，ＣＬｋが配置されている。
【００２２】
前記Ｙ色の感光体ＰＲｙ、帯電ロールＣＲｙ、Ｙ色のレーザービームＬｙを出力する露光装置ＲＯＳ、現像装置Ｇｙ、１次転写ロールＴ１ｙ、感光体クリーナＣＬｙにより、可視像の一例としてのトナー像を形成する実施例１のＹ色の可視像の形成装置の一例としてのＹ色の作像部Ｕｙが構成されている。同様に、各感光体ＰＲｍ，ＰＲｃ，ＰＲｋ、帯電ロールＣＲｍ，ＣＲｃ，ＣＲｋ、露光装置ＲＯＳ、現像装置Ｇｍ，Ｇｃ，Ｇｋ、１次転写ロールＴ１ｍ，Ｔ１ｃ，Ｔ１ｋ、感光体クリーナＣＬｍ，ＣＬｃ，ＣＬｋにより、前記Ｍ，Ｃ，Ｋ色の作像部Ｕｍ，Ｕｃ，Ｕｋが構成されている。
【００２３】
前記感光体ＰＲｙ〜ＰＲｋの上方には、中間転写装置の一例としてのベルトモジュールＢＭが配置されている。ベルトモジュールＢＭは、中間転写体の一例としての中間転写ベルトＢを有する。中間転写ベルトＢは、無端帯状の部材により構成されている。
実施例１の中間転写ベルトＢは、駆動部材の一例としてのベルト駆動ロールＲｄと、張架部材の一例としてのテンションロールＲｔと、片寄りを補正する部材の一例としてのウォーキングロールＲｗと、従動部材の一例としてのアイドラロールＲｆと、２次転写領域の対向部材の一例としてのバックアップロールＴ２ａと、１次転写ロールＴ１ｙ，Ｔ１ｍ，Ｔ１ｃ，Ｔ１ｋと、により回転可能に支持されている。
【００２４】
前記中間転写ベルトＢを挟んでバックアップロールＴ２ａに対向する位置には、２次転写部材の一例としての２次転写ロールＴ２ｂが配置されている。実施例１では、バックアップロールＴ２ａは接地され、２次転写ロールＴ２ｂには電源回路Ｅからトナーの帯電極性と逆極性の２次転写電圧が印加される。バックアップロールＴ２ａおよび２次転写ロールＴ２ｂにより、実施例１の２次転写器Ｔ２が構成されている。また、２次転写ロールＴ２ｂと中間転写ベルトＢとが接触する領域により２次転写領域Ｑ４が構成されている。
中間転写ベルトＢの回転方向に対して、２次転写領域Ｑ４の下流側には、中間転写体の清掃器の一例として、ベルトクリーナＣＬｂが配置されている。
前記１次転写ロールＴ１ｙ〜Ｔ１ｋ、中間転写ベルトＢおよび２次転写器Ｔ２等により、実施例１の転写装置Ｔ１＋Ｔ２＋Ｂが構成されている。また、作像部Ｕｙ〜Ｕｋおよび転写装置Ｔ１＋Ｔ２＋Ｂとにより、実施例１の画像の記録部Ｕｙ〜Ｕｋ＋Ｔ１＋Ｔ２＋Ｂが構成されている。
【００２５】
図１において、作像部Ｕｙ〜Ｕｋの下方には、案内部材の一例としての左右一対のガイドレールＧＲが３段設けられている。各ガイドレールＧＲには、媒体の収容部の一例としての給紙トレイＴＲ１〜ＴＲ３が前後方向に出入可能に支持されている。給紙トレイＴＲ１〜ＴＲ３には、媒体の一例としての記録シートＳが収容される。
給紙トレイＴＲ１〜ＴＲ３の右上方には、取出部材の一例としてのピックアップロールＲｐが配置されている。記録シートＳの搬送方向に対して、ピックアップロールＲｐの下流側には、捌き部材の一例としての捌きロールＲｓが配置されている。記録シートＳの搬送方向に対して、捌きロールＲｓの下流側には、媒体の搬送路の一例として、上方に延びる給紙路ＳＨ１が形成されている。給紙路ＳＨ１には、搬送部材の一例としての複数の搬送ロールＲａが配置されている。
【００２６】
給紙路ＳＨ１には、２次転写領域Ｑ４の上流側に、搬送時期の調節部材の一例としてのレジロールＲｒが配置されている。
シートＳの搬送方向に対して、２次転写領域Ｑ４の下流側には、定着装置Ｆが配置されている。定着装置Ｆは、加熱用の定着部材の一例としての加熱ロールＦｈと、加圧用の定着部材の一例としての加圧ロールＦｐと、を有する。加熱ロールＦｈと加圧ロールＦｐとの接触領域により定着領域Ｑ５が構成されている。
定着装置Ｆの上方には、搬送路の一例としての排紙路ＳＨ２が配置されている。プリンタ部Ｕ１の上面には、媒体の排出部の一例としての排紙トレイＴＲｈが形成されている。排紙路ＳＨ２は、排紙トレイＴＲｈに向けて延びる。排紙路ＳＨ２の下流端には、媒体の搬送部材の一例としての排紙ロールＲｈが配置されている。
【００２７】
（画像形成動作の説明）
前記構成を備えた実施例１の複写機Ｕでは、原稿Ｇｉを作業者が手でプラテンガラスＰＧ上に置いて複写を行う場合には、読取ユニットＵ２ａが初期位置から左右方向に移動して、プラテンガラスＰＧ上の原稿Ｇｉが、露光されながら走査される。また、前記オートフィーダＵ３を使用して自動的に原稿Ｇｉを搬送して複写を行う場合には、読取ユニットＵ２ａは、初期位置から、図１の破線で示す原稿の読み取り位置に移動して停止する。そして、原稿トレイＴＧ１に収容された複数の原稿Ｇｉは、プラテンガラスＰＧ上の原稿の読み取り位置に順次搬送されて通過し、原稿の排紙トレイＴＧ２に排出される。したがって、プラテンガラスＰＧ上の読み取り位置を順次通過する各原稿Ｇｉは、停止した読取ユニットＵ２ａに露光されて走査される。なお、原稿Ｇｉからの反射光は、読取ユニットＵ２ａで受光される。前記読取ユニットＵ２ａは、受光された原稿Ｇｉの反射光を電気信号に変換する。なお、原稿Ｇｉの両面読取りが行われる場合には、読取りセンサＵ３ｄでも原稿Ｇｉが読み取られる。
【００２８】
画像処理部ＧＳは、読取ユニットＵ２ａから出力された電気信号が入力される。画像処理部ＧＳは、読取ユニットＵ２ａが読み取ったＲ，Ｇ，Ｂの色の画像の電気信号を、潜像形成用のイエローＹ、マゼンタＭ、シアンＣ、黒Ｋの画像情報に変換する。画像処理部ＧＳは、変換後の画像情報をプリンタ部Ｕ１の書込回路ＤＬに出力する。なお、画像処理部ＧＳは、画像が単色画像、いわゆる、モノクロの場合は、黒Ｋのみの画像情報を書込回路ＤＬに出力する。
書込回路ＤＬは、入力された画像情報に応じた制御信号を、露光装置ＲＯＳに出力する。露光装置ＲＯＳは、制御信号に応じたレーザービームＬｙ〜Ｌｋを出力する。
【００２９】
各感光体ＰＲｙ〜ＰＲｋは、画像形成が開始されると回転駆動する。帯電ロールＣＲｙ〜ＣＲｋには、電源回路Ｅから帯電電圧が印加される。したがって、感光体ＰＲｙ〜ＰＲｋの表面は、帯電ロールＣＲｙ〜ＣＲｋにより帯電される。帯電された感光体ＰＲｙ〜ＰＲｋは、書込領域Ｑ１ｙ〜Ｑ１ｋにおいて、レーザービームＬｙ〜Ｌｋにより、表面に静電潜像が形成される。感光体ＰＲｙ〜ＰＲｋの静電潜像は、現像領域Ｑ２ｙ〜Ｑ２ｋにおいて、現像装置Ｇｙ，Ｇｍ，Ｇｃ，Ｇｋにより可視像の一例としてのトナー像に現像される。
【００３０】
現像されたトナー像は、中間転写体の一例としての中間転写ベルトＢに接触する１次転写領域Ｑ３ｙ，Ｑ３ｍ，Ｑ３ｃ，Ｑ３ｋに搬送される。１次転写領域Ｑ３ｙ，Ｑ３ｍ，Ｑ３ｃ，Ｑ３ｋにおいて、１次転写ロールＴ１ｙ〜Ｔ１ｋには、電源回路Ｅからトナーの帯電極性と逆極性の１次転写電圧が印加される。したがって、各感光体ＰＲｙ〜ＰＲｋ上のトナー像は、１次転写ロールＴ１ｙ〜Ｔ１ｋにより、中間転写ベルトＢに転写される。なお、多色のトナー像の場合、上流側の１次転写領域で中間転写ベルトＢに転写されたトナー像に重ねて、下流側のトナー像が転写される。
１次転写後の感光体ＰＲｙ〜ＰＲｋの残留物、付着物は、感光体クリーナＣＬｙ〜ＣＬｋにより清掃される。清掃された感光体ＰＲｙ〜ＰＲｋ表面は、帯電ロールＣＲｙ〜ＣＲｋにより再帯電される。
１次転写領域Ｑ３ｙ〜Ｑ３ｋで１次転写ロールＴ１ｙ〜Ｔ１ｋにより中間転写ベルトＢ上に転写された単色または多色のトナー像は、２次転写領域Ｑ４に搬送される。
【００３１】
画像が記録されるシートＳは、使用される給紙トレイＴＲ１〜ＴＲ３のピックアップロールＲｐにより、取り出される。ピックアップロールＲｐで取り出されたシートＳは、複数枚のシートＳが重ねて取り出された場合、捌きロールＲｓにより１枚ずつに分離される。捌きロールＲｓで分離されたシートＳは、搬送ロールＲａにより給紙路ＳＨ１を搬送される。給紙路ＳＨ１を搬送されたシートＳは、レジロールＲｒに送られる。
レジロールＲｒは、中間転写ベルトＢに形成されたトナー像が２次転写領域Ｑ４に搬送される時期を合わせて、シートＳを２次転写領域Ｑ４に搬送する。２次転写ロールＴ２ｂには、電源回路Ｅによりトナーの帯電極性と逆極性の２次転写電圧が印加される。したがって、中間転写ベルトＢ上のトナー像は、中間転写ベルトＢからシートＳに転写される。
【００３２】
２次転写後の前記中間転写ベルトＢは、表面に付着した付着物等がベルトクリーナＣＬｂにより清掃される。
前記トナー像が２次転写された記録シートＳは、定着領域Ｑ５を通過する際に加熱定着される。
画像が定着された記録シートＳは、排紙路ＳＨ２を搬送される。排紙路ＳＨ２を搬送されたシートＳは、排紙ロールＲｈにより排紙トレイＴＲｈに排出される。
【００３３】
（画像読取り装置の説明）
図３は実施例１の画像読取り装置の説明図である。
図３において、画像読取り装置の一例としてのスキャナ部Ｕ２は、筐体の一例としてのケース１を有する。前記ケース１の上面には、前記プラテンガラスＰＧが支持されている。実施例１のプラテンガラスＰＧは、左側に配置された自動の読取りガラス２と、右側に配置された手動の読取りガラス３とを有する。
【００３４】
図１、図３において、プラテンガラスＰＧの下方には、読取ユニットＵ２ａが配置されている。
実施例１の読取ユニットＵ２ａは、移動部材の一例としてのキャリッジ１１を有する。キャリッジ１１は、図示しない駆動系により、プラテンガラスＰＧの下面に沿って、左右方向に移動可能に支持されている。キャリッジ１１には、光源の一例としてのランプ１２が支持されている。また、キャリッジ１１には、光学系の一例としてのミラー１３およびレンズ１４が支持されている。さらに、キャリッジ１１には、読取り部材の一例としての撮像素子１６が支持されている。
【００３５】
図４は実施例１の接続部材と案内部材との説明図であり、図４Ａは折り返し部分の斜視図、図４Ｂは接続部材と案内部材との分解図である。
図３において、キャリッジ１１と、制御部の一例としての画像処理部ＧＳとの間は、接続部材の一例としてのフレキシブルフラットケーブル１７で接続されている。なお、以下、フレキシブルフラットケーブル：Flexible Flat Cableは、「ＦＦＣ」と略記する。
図３、図４において、実施例１のＦＦＣ１７は、長手方向が左右方向に延び、且つ、短手方向が前後方向に延びる帯板状に形成されている。そして、ＦＦＣ１７は、一端側がキャリッジ１１に接続され、他端が画像処理部ＧＳに接続されており、右部に部分円弧状に折り返された折り返し部１７ａが形成されている。
【００３６】
実施例１のＦＦＣ１７は、キャリッジ１１のランプ１２や撮像素子１６への制御信号や給電を行ったり、撮像素子１６で読み取られた画像データを画像処理部ＧＳに送信可能である。実施例１のＦＦＣ１７は、市販のＦＦＣを使用可能であるが、特に、電磁妨害ＥＭＩ：Electro Magnetic Interference対策で、片面または両面にシールド加工がされたＦＦＣを使用することがある。
【００３７】
図５は実施例１の案内部材の説明図であり、図５Ａは展開図、図５Ｂは図５ＡのＶＢ−ＶＢ線断面図である。
図３、図４において、ＦＦＣ１７の外側には、案内部材の一例としてのフィルム１８が支持されている。フィルム１８は一端１８ａがキャリッジ１１の近傍でＦＦＣ１７に支持されている。図４において、フィルム１８の他端１８ｂは、キャリッジ１１が左端に移動した状態で、ＦＦＣ１７の折り返し部１７ａの下端１７ｂに対応する位置に支持されている。
図４、図５において、実施例１のフィルム１８は、幅方向に対して曲げられた曲げ部１９が形成されている。実施例１のフィルム１８は、曲げ部１９が３つ形成されており、図５Ｂに示すように、断面が「Ｗ」字状に形成されている。
【００３８】
実施例１では、曲げ部１９の他端１９ａは、フィルム１８の他端１８ｂまで設けられておらず、図４の破線で示すように、キャリッジ１１が左端に移動した状態で、弧状の折り返し部１７ａに半分差し掛かる程度までしか形成されていない。
なお、実施例１のフィルム１８は、弾性を有する材料の一例として、ＰＥＴ：Polyethylene terephthalateが使用されている。したがって、フィルム１８に曲げ部１９を成型または加工で容易に形成可能であるとともに、形成された曲げ部１９は長期に渡って保持される。そして、フィルム１８が折り返し部１７ａに差し掛かると、フィルム１８が折り返し部１７ａに沿って曲がろうとする力を受けて、幅方向に延びる。すなわち、曲げ部１９が延びて、幅方向に平板状の状態になる。
【００３９】
（実施例１の画像の読取装置の機能）
前記構成を備えた実施例１のスキャナ部Ｕ２では、オートフィーダＵ３が使用される場合には、キャリッジ１１が、図４の実線で示す左端の自動読取り位置に移動する。そして、自動の読取りガラス２を通過する原稿Ｇｉを撮像素子１６が読み取る。手動の読取りガラス３の上面に置かれた原稿Ｇｉを読み取る場合は、キャリッジ１１が、図４の破線で示す手動の読取り開始位置から右端まで移動、すなわち、走査する。そして、走査中のキャリッジ１１の撮像素子１６が手動の読取りガラス３に置かれた原稿Ｇｉを読み取る。
【００４０】
図６は案内部材が設けられていない構成における説明図であり、図６Ａは接続部材が原稿台に接触した状態の説明図、図６Ｂは接続部材が座屈した状態の説明図である。
ここで、キャリッジ１１が移動する際に、ＦＦＣ１７は折り返し部１７ａが移動しながら移動する。この時、フィルム１８が設けられてない構成では、図６Ａに示すように、ＦＦＣ０１の折り返し部０１ａが上方に膨らんで、プラテンガラス０２の下面を擦ることになる。よって、プラテンガラス０２が経時的に汚れ、読取り画像に汚れが映り込む等の悪影響が発生する問題がある。また、図６Ｂに示すように、キャリッジ０３が移動する際に、プラテンガラス０２とＦＦＣ０１との接触時の摩擦力で、ＦＦＣ０１の接触部０１ｂがプラテンガラスＰＧに引っ掛かったような状態となると、ＦＦＣ０１の途中０１ｃが座屈してしまう場合もある。ＦＦＣ０１が座屈すると、内部の信号線が破損する恐れがあり、通信不良や給電不良が発生する恐れがある。
【００４１】
これに対して、特許文献１に記載の技術のように、抑え部を設けた場合、抑え部の先端の位置でＦＦＣに力が集中して、抑え部の先端の位置で、ＦＦＣが経時的に座屈しやすい問題がある。ＦＦＣが座屈した場合、通信不良等に加えて、プラテンガラスに接触する恐れも出てくる。
また、特許文献２に記載のように、ＦＦＣに直接曲げ部を形成しようとした場合、そもそもＦＦＣは曲げ部を形成することが前提になっておらず、曲げ部自体を形成しにくい。仮に、強引に曲げ部を形成した場合、内部の信号線が破損する恐れがあったり、曲げ部が経時的に元の平板状の状態に戻りやすい問題もある。特に、シールド加工、すなわち、表面に金属が貼られているＦＦＣは、剛性が強く、曲げ部を形成すること自体が極めて困難である。
【００４２】
さらに、特許文献３に記載の技術のように、保護フィルムを設けた構成では、ＦＦＣの座屈は低減されるが、プラテンガラスへの接触の課題は解消されない。
これらに対して、実施例１では、ＦＦＣ１７に沿ってフィルム１８が配置されており、フィルム１８には曲げ部１９が形成されている。したがって、フィルム１８は、折り返し部１７ａ以外の左右方向に沿ったフラット部では、曲げ部１９で、曲げ剛性が高くなっている。
【００４３】
図７は実施例１の曲げ剛性の説明図である。
曲げ剛性は、ヤング率をＥとし、断面２次モーメントをＩとした場合、（曲げ剛性）＝Ｅ・Ｉで表される。ここで、ヤング率Ｅは材料で異なり、断面２次モーメントＩは形状で異なる。図７に示すように、曲げ部１９を有しない構成では、厚さ０．１ｍｍ、幅４０ｍｍの平板形状の断面２次モーメントＩはＩ＝３３．３であり、折り曲げ部１７ａに沿って平板状になった部分は、この値となる。
一方で、曲げ部１９が延びていない部分では、図７に示すように、曲げ部１９の位置で８０度を成すように３つの曲げ部１９を形成した場合や、曲げ部１９の位置で８５度を成すように１つの曲げ部１９を形成した場合には、断面２次モーメントＩ＝２５５０となる。よって、曲げ剛性Ｅ・Ｉは、曲げ部１９がない部分に比べて、曲げ部１９がある部分では、７７倍高くなっている。
【００４４】
よって、実施例１では、ＦＦＣ１７の折り返し部１７ａが上方に膨らもうとしても、曲げ部１９を有し、曲げ剛性の高いフィルム１８が、折り返し部１７ａを押さえる。よって、ＦＦＣ１７が上方に膨らんでプラテンガラスＰＧに接触することが低減される。
【００４５】
一方で、フィルム１８は、キャリッジ１１の移動に伴って折り返し部１７ａの位置が移動した場合、フィルム１８の折り返し部１７ａに対応する部分は、曲げ部１９が延びる形で断面がほぼ平板状になる。よって、フィルム１８の曲げ剛性が低下し、ＦＦＣ１７に追従して弧状に湾曲する。よって、キャリッジ１１の移動も妨げない。
また、実施例１では、特許文献１のように、ＦＦＣに力が集中する部分がなく、ＦＦＣの座屈も経時的に低減される。さらに、実施例１では、特許文献２のように、直接ＦＦＣに曲げ部を形成する必要がなく、容易に実用化可能であると共に、フィルム１８が経時的に平板状に戻ることも少ない。また、実施例１では、特許文献３と異なり、プラテンガラスＰＧに接触することが抑えられる。よって、実施例１では、従来の技術に比べて、ＦＦＣ１７がプラテンガラスＰＧに接触することを長期に渡って抑える。
【実施例２】
【００４６】
図８は実施例２の画像読取り装置の説明図であり、図８Ａは実施例１の図３に対応する図、図８Ｂは図８ＡのＶＩＩＩＢ−ＶＩＩＩＢ線断面図、図８Ｃは図８ＡのＶＩＩＩＣ−ＶＩＩＩＣ線断面図である。
次に本発明の実施例２の説明をするが、この実施例２の説明において、前記実施例１の構成要素に対応する構成要素には同一の符号を付して、その詳細な説明は省略する。
この実施例２は下記の点で、前記実施例１と相違しているが、他の点では前記実施例１と同様に構成される。
【００４７】
図８において、実施例２のスキャナ部Ｕ２では、フィルム１８に替えて、案内部材の一例としての金属ベルト１８′が使用されている。また、実施例２の金属ベルト１８′は、導電性の材料の一例であって、弾性を有する材料の一例として、ＳＵＳが使用されている。実施例２の金属ベルト１８′は、他端１８ｂで電気的に接地、いわゆる、アースされている。また、実施例２の金属ベルト１８′は、図８Ｂに示すように、ＦＦＣ１７の幅に対応する中央部１８ｃと、中央部１８ｃの両端からＦＦＣ１７の側縁を覆うように折り曲げられた一対の側部１８ｄとを有する。よって、中央部１８ｃと側部１８ｄとの間に、曲げ部１９が形成されている。
【００４８】
（実施例２のスキャナ部Ｕ２の機能）
前記構成を備えた実施例２のスキャナ部Ｕ２では、金属ベルト１８′は、実施例１と同様に、フラット部で曲げ部１９があり、剛性が高くなっている。また、金属ベルト１８′は、折り返し部１７ａに対応する部分では、曲げ部１９が延びて図８Ｃに示すように平板状となり、ＦＦＣ１７に追従する。よって、実施例２の金属ベルト１８′も実施例１と同様に、ＦＦＣ１７がプラテンガラスＰＧに接触することを長期に渡って抑える。
さらに、実施例２では、金属ベルト１８′がアースされている。よって、ＦＦＣ１７にシールド加工がなくても、ＥＭＩなどのＦＦＣ１７のノイズの影響を金属ベルト１８′で抑制することが可能である。特に、実施例２では、金属ベルト１８′がＦＦＣ１７の側縁を覆うように配置されており、ＦＦＣ１７の側縁からのノイズも抑制可能である。
【００４９】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ09）を下記に例示する。
（Ｈ01）前記実施例において、画像形成装置の一例としての複写機Ｕを例示したが、これに限定されず、ＦＡＸ、あるいは、ＦＡＸや、プリンタ、複写機などの複数の機能を備えた複合機等に適用可能である。また、電子写真方式の画像形成装置に限定されず、インクジェット記録方式やサーマルヘッド方式などをはじめリソグラフ等の印刷機等任意の画像形成方式の画像形成装置に適用可能である。また、多色現像の画像形成装置に限定されず、単色、いわゆるモノクロの画像形成装置により構成することも可能である。また、前記実施例において、画像の読取装置の一例としてスキャナ部Ｕ２を例示し、複写機Ｕに備えられた構成を例示したが、これに限定されず、本願発明は、スキャナ単体の構成にも適用可能である。
【００５０】
図９は変更例の説明図であり、図９Ａは案内部材の両端まで曲げ部が形成された構成の説明図、図９Ｂは案内部材の他端部に幅狭部が形成された構成の説明図である。
（Ｈ02）前記実施例において、曲げ部１９を案内部材１８，１８′の他端１８ｂまで形成しない構成を例示したが、これに限定されない。例えば、図９Ａに示すように、他端１８ｂまで形成することも可能であるし、必要な剛性に応じて、実施例１に比べて、長手方向の長さを短くしたり長くしたりすることも可能である。
【００５１】
（Ｈ03）前記実施例において、長手方向に対して幅が一定の案内部材１８，１８′を例示したが、これに限定されない。例えば、図９Ｂに示すように、案内部材１８，１８′の他端部に、幅狭部２１を設けることも可能である。ここで、折り返し部１７ａの部分は、上方に膨らもうとする力が作用するが、これは、ＦＦＣ１７だけでなく、案内部材１８，１８′でも折り返し部分では、上方に膨らもうとする力が作用する。よって、キャリッジ１１が待機位置、いわゆる、ホームポジションに位置している状態で、折り返し部１７ａに対応する部分に幅狭部２１を形成した場合、案内部材１８，１８′の折り返し部分が上方に膨らもうとする力が弱くなる。よって、キャリッジ１１が位置する時間が最も長いホームポジションに対応して幅狭部２１を設けない場合に比べて、ＦＦＣ１７や案内部材１８，１８′が膨らむことが低減され、プラテンガラスＰＧに接触しにくくなる。
【００５２】
図１０は変更例の説明図であって、実施例１の図５Ｂに対応する図であり、図１０Ａは曲げ部が１つのみの断面の説明図、図１０Ｂは曲げ部が５つある場合の断面の説明図、図１０Ｃは弧状に曲げられた断面の説明図である。
（Ｈ04）前記実施例において、案内部材１８，１８′の曲げ部１９は、例示した形状に限定されない。例えば、図１０Ａ、図１０Ｂに示すように、曲げ部１９の数を増減可能である。また、図１０Ｃに示すように、曲げ部１９が無く、幅方向に対して全体が弧状に湾曲した形状とすることも可能である。
【００５３】
（Ｈ05）前記実施例において、例示した具体的な数値や材料は、設計や仕様に応じて任意に変更可能である。特に、案内部材１８，１８′の材料として、ＰＥＴやＳＵＳを例示したが、これらに限定されない。例えば、ＰＥＴやＳＵＳ以外の樹脂や金属材料を使用することも可能である。このとき、ＦＦＣ１７に追従して変形できるように、厚さを調整したり、ヤング率Ｅが異なっても、曲げ部１９での成す角や曲げ部１９の数を変えることで、断面２次モーメントを大きくして、曲げ剛性Ｅ・Ｉを調整することも可能である。
【００５４】
（Ｈ06）前記実施例において、案内部材１８，１８′とＦＦＣ１７の長手方向の長さが異なる構成を例示したが、これに限定されない。案内部材１８，１８′の長さを実施例に例示した構成よりも長くすることも可能である。また、案内部材１８，１８′の両端をＦＦＣ１７に支持する構成を例示したが、これに限定されず、キャリッジ１１やケース１の底面に支持することも可能である。
（Ｈ07）前記実施例において、キャリッジ１１に光源、光学系、読取り部材の全てが支持された構成を例示したが、これに限定されない。例えば、キャリッジ１１に光源や光学系が支持され、読取り部材が支持されない構成とすることも可能である。
【００５５】
（Ｈ08）前記実施例において、オートフィーダＵ３を有する構成を例示したが、オートフィーダＵ３を有しない構成にも適用可能である。
（Ｈ09）前記実施例において、案内部材１８，１８′は、ＦＦＣ１７の外側に配置する構成とすることが望ましいが、ＦＦＣ１７の内側に配置することも可能である。
【符号の説明】
【００５６】
１１…移動体、
１２…光源、
１７…接続部材、
１７ａ…折り返し部、
１８…案内部材、
２１…幅狭部、
Ｅ・Ｉ…曲げ剛性、
Ｇｉ…原稿、
ＧＳ…制御部、
ＰＧ…支持台、
Ｓ…媒体、
Ｕ…画像形成装置、
Ｕ２…画像読取り装置、
Ｕｙ〜Ｕｋ＋Ｔ１＋Ｔ２＋Ｂ…画像の記録部。
【図１】
0006550847.tif 000002
【図２】
0006550847.tif 000003
【図３】
0006550847.tif 000004
【図４】
0006550847.tif 000005
【図５】
0006550847.tif 000006
【図６】
0006550847.tif 000007
【図７】
0006550847.tif 000008
【図８】
0006550847.tif 000009
【図９】
0006550847.tif 000010
【図１０】
0006550847.tif 000011